(57)【要約】【課題】軽量であるとともに変形しにくいケースを提供する。【解決手段】ケース１０は、本体１２及び蓋体１４を含む。本体１２は、本体主面部２０、本体主面部２０の周囲に形成された本体側面部２３、および本体主面部２０に形成され、蓋体１４を本体に取り付けるための本体側取付部２１を含み、本体主面部２０、本体側面部２３および本体側取付部２１は、合成樹脂で一体的に形成される。蓋体１４は、合成樹脂シートにより一体的に形成された蓋体主面部材１６と、蓋体側面部材１８とを含み、蓋体主面部材１６は、本体主面部２０に対向する蓋体主面部２２と、蓋体主面部２２に連設された折り曲げ可能な部分２４と、折り曲げ可能な部分２４に連設された蓋体側取付部２５とを含む。蓋体側面部材２３は、蓋体主面部２２の端縁に固着されており、本体１２と蓋体１４とは、蓋体側取付部２５を本体側取付部２１に取り付けることによって連結されている。【選択図】図１
2014208413.tif 000002
【特許請求の範囲】
【請求項１】
本体と、前記本体に開閉可能に取り付けられ、閉じることによって前記本体と協働して箱形の収納部を形成する蓋体とを有するケースであって、
前記ケースは、方形の胴部と、前記胴部の周辺に、方形の天部と、前記天部に対向する底部と、前記天部と前記底部の両端に形成される襠部とを有し、
前記本体は、
平面視略方形の本体主面部と、
前記本体主面部の周囲に形成された本体側面部と、
前記本体主面部に形成され、前記本体主面部の１つの端縁近辺に、前記蓋体を前記本体に取り付けるための平面視略帯状の本体側取付部とを含み、
前記本体主面部、前記本体側面部および前記本体側取付部は、合成樹脂で一体的に形成され、
前記蓋体は、
合成樹脂シートにより一体的に形成された蓋体主面部材と、
前記蓋体主面部材に接合して固定された蓋体側面部材とを含み、
前記蓋体主面部材は、
前記本体主面部に対向する前記本体主面部と同形同大の蓋体主面部と、
前記蓋体主面部の長手端に連設された折り曲げ可能な部分と、
前記折り曲げ可能な部分の長手端に連設された前記本体側取付部と同形同大の蓋体側取付部とを含み、
前記蓋体側面部材は、前記蓋体主面部における前記折り曲げ可能な部分が形成されていない端縁に、前記蓋体主面部から垂直に立ち上がるように固着されており、
前記本体と前記蓋体とは、前記蓋体の前記蓋体側取付部を、前記本体の前記本体側取付部に、取り付けることによって連結され、
前記本体主面部と前記蓋体主面部とは、前記ケースの前記胴部を構成し、
前記本体と前記蓋体とは、前記折り曲げ可能な部分を介して連結され、前記折り曲げ可能な部分は、前記ケースの前記底部を構成し、
前記本体側面部と前記蓋体側面部材とは、前記本体と前記蓋体とが閉じたときに、前記ケースの前記天部、前記底部及び前記襠部を構成し、
前記本体に対して前記蓋体を閉じることによって、前記本体側面部および前記蓋体側面部材の内側に前記収納部が形成される、ケース。
【請求項２】
前記ケースは、全体が直方体であって、前記折り曲げ可能な部分は、前記本体主面部に対して垂直な方向に、前記本体側面部及び蓋体側面部材が重ね合わさったものの前記本体主面部からの高さと同じ高さを備える、請求項１に記載のケース。
【請求項３】
前記蓋体側面部材は、前記蓋体主面部において前記折り曲げ可能な部分が形成される１辺を除いた３辺にそれぞれ形成される３つの側面部材を含み、前記３つの側面部材は、一体的に形成され、または、個別に形成されて接合された、請求項２に記載のケース。
【請求項４】
前記本体側面部は、前記本体主面部の４辺に沿って形成され、
前記本体主面部の手前側端縁に形成された手前側壁部と、
前記手前側壁部の右端に形成され、前記本体主面部の右側端縁に形成された右側壁部と、
前記手前側壁部の左端に形成され、前記本体主面部の左側端縁に形成された左側壁部と、
前記右側壁部の下端に形成され、前記本体主面部の向こう側端縁に形成された右向こう側壁部と、
前記左側壁部の下端に形成され、前記本体主面部の向こう側端縁に形成された左向こう側壁部とを含み、
前右側壁部の反対側に位置する前記右向こう側壁部の一方端縁と、前左側壁部の反対側に位置する前記左向こう側壁部の一方端縁と、前記本体主面部とによって、前記右向こう側壁部と左向こう側壁部との間に、側面開口部が形成された、請求項１ないし請求項３に記載のケース。
【請求項５】
前記右向こう側壁部及び前記左向こう側壁部のうちの少なくとも１つの側壁部は、前記側面開口部を形成する端縁側に、前記本体主面部から上方に向かって前記側面開口部が広がるように、前記側壁部の上方の端縁と前記側面開口部を形成する前記端縁との間に、切り欠き部を有する、請求項１ないし請求項４のいずれかに記載のケース。
【請求項６】
前記蓋体側面部材は、
前記蓋体主面部の手前側端縁、右側端縁、及び左側端縁の３つの端縁において接し合わされ、密着される、主面部材固定部と、
前記蓋体主面部の４つの端縁のうち、隣り合う第１の端縁及び第２の端縁から構成される角部において接し合わされ、密着される、主面部材補強部とを含み、
前記主面部材固定部と前記主面部材補強部とは、前記主面部材の端縁の中央から、前記主面部材の前記角部にかけて連続しており、
前記主面部材固定部及び前記主面部材補強部は、同一平面上で前記主面部材に接触し、
前記主面部材固定部は、平面視して前記主面部材の外側に位置する固定部外縁と、平面視して前記主面部材の内側に位置する固定部内縁とを含み、
前記第１の端縁及び前記第２の端縁から構成される前記角部に位置する前記主面部材補強部は、前記第１の端縁及び前記第２の端縁のうち少なくとも１つに位置する前記主面部材固定部の前記固定部内縁と連続する補強部縁を有し、
前記補強部縁は、前記第１の端縁及び前記第２の端縁から構成される前記角部に拡がる、請求項１ないし請求項５のいずれかに記載のケース。
【請求項７】
本体と、前記本体に開閉可能に取り付けられ、閉じることによって前記本体と協働して箱形の収納部を形成する蓋体とを有するケースであって、
前記本体及び前記蓋体のうちの少なくとも１つは、
合成樹脂シートにより形成された主面部材と、
前記主面部材の適宜な位置に接合して固定された接合部材とを含み、
前記接合部材は、
前記主面部材の手前側端縁、右側端縁、及び左側端縁の３つの端縁において密着される、それぞれの端縁に位置する平面視略帯状の３つの主面部材固定部と、
前記主面部材の４つの端縁のうち、隣り合う第１の端縁及び第２の端縁から構成される角部において密着される、主面部材補強部とを含み、
前記主面部材固定部と前記主面部材補強部とは、前記主面部材の端縁の中央から、前記主面部材の前記角部にかけて連続しており、
前記主面部材固定部及び前記主面部材補強部は、同一平面上で前記主面部材に接触し、
前記主面部材固定部は、平面視して前記主面部材の外側に位置する固定部外縁と、平面視して前記主面部材の内側に位置する固定部内縁とを含み、
前記第１の端縁及び前記第２の端縁から構成される前記角部に位置する前記主面部材補強部は、前記第１の端縁及び前記第２の端縁のうち少なくとも１つに位置する前記主面部材固定部の前記固定部内縁と連続する補強部縁を有し、
前記補強部縁は、前記第１の端縁及び前記第２の端縁から構成される前記角部に拡がる、ケース。
【請求項８】
前記固定部外縁は、前記固定部外縁を含む前記主面部材固定部が位置する前記主面部材の端縁と平行な直線であって、
前記固定部内縁は、前記固定部外縁を含む前記主面部材固定部が位置する前記主面部材の端縁と平行な直線であって、
前記固定部内縁と連続する前記補強部縁は、前記固定部内縁を含んで延長した直線によって分かれる２つの領域のうち、前記固定部外縁とは反対側に位置する、ケース。
【請求項９】
前記主面部材補強部の形状は、２つの直線と、１つの曲線若しくは直線よって囲まれた形状であって、前記２つの直線のうちの第１の直線は、前記第１の端縁と平行であり、前記２つの直線のうちの第２の直線は、前記第２の端縁と平行であり、前記曲線は、前記補強部縁を含み、平面視して前記蓋体主面部上に配置される、請求項７に記載のケース。
【発明の詳細な説明】
【技術分野】
【０００１】
この発明は、ケースに関し、特に、たとえば、合成樹脂で形成された本体主面部および本体側面部を含む本体と蓋体主面部材および蓋体側面部材を含む蓋体とを有し、本体側面部および蓋体側面部材の内側の収納部に用紙などを収納することができる箱形ケースや筆記用具などを収納部に収納することができるケースに関する。
【背景技術】
【０００２】
この発明の背景となる従来の書類用ホルダの一例が、たとえば国際公開第２００７／１３２５２２号に開示されている（特許文献１参照）。特許文献１に開示されている書類用ホルダは、書類の一部が挿入される収容部と、前記収容部に回動自在に結合された表紙部と、前記書類の閲覧時に外部からの力により前記収容部の一部が変形して前記収容部に挿入された書類の一部を押圧する固定手段と、を備えるものである。この書類ホルダは、書類に穴を開けることなく書類の閲覧及び書類の保管ができる書類用ホルダを提供することを課題として考え出されたものである。
また、従来のケースの一例が、たとえは特開２０１２−６１７６３号公報に開示されている（特許文献２参照）。特許文献２に開示されているケースは、主面部材と、主面部材を固定して箱形の収納部を形成する側面部材とを有するケースであって、主面部材は、シートにより形成され、側面部材は、収納部を形成するように、主面部材の適宜な位置に接合して固定された、ケースである。このケースは、多品種少量生産に好適であり、しかも、コスト的に安価に製造することができる、ケースを提供することを課題として考え出されたものである。
【先行技術文献】
【特許文献】
【０００３】
【特許文献１】国際公開第２００７／１３２５２２号
【特許文献２】特開２０１２−６１７６３号公報
【発明の概要】
【発明が解決しようとする課題】
【０００４】
特許文献１に開示されている書類用ホルダは、全体が合成樹脂で一体成型によって形成されるならば、大量生産により比較的安価に製造することができる。
しかしながら、特許文献１に開示されている書類用ホルダは、全体を合成樹脂で一体成型をするならば、成形材料を書類用ホルダの各部分に広範囲に流動させるために、書類用ホルダの各部分の厚みとして比較的厚い厚みが必要となる。そのために、書類用ホルダ全体の重量が重くなり、書類用ホルダの材料コストも高くなる。
一方、特許文献２に開示されているケースは、本体主面部および蓋体主面部に相当する主面部材が薄い合成樹脂シートにより形成された場合、ケース全体の重量が軽くなる。
しかしながら、特許文献２に開示されているケースは、本体主面部および蓋体主面部に相当する主面部材を薄い合成樹脂シートにより形成した場合、ケース全体の強度が弱くなり、全体が変形しやすくなる。
【０００５】
それゆえに、この発明の主たる目的は、軽量であるとともに変形しにくい、ケースを提供することである。
【課題を解決するための手段】
【０００６】
この発明にかかるケースは、本体と、前記本体に開閉可能に取り付けられ、閉じることによって前記本体と協働して箱形の収納部を形成する蓋体とを有するケースであって、前記ケースは、方形の胴部と、前記胴部の周辺に、方形の天部と、前記天部に対向する底部と、前記天部と前記底部の両端に形成される方形の襠部とを有し、前記本体は、平面視略方形の本体主面部、前記本体主面部の周囲に形成された本体側面部、および前記本体主面部に形成され、前記本体主面部の１つの端縁近辺に、前記蓋体を前記本体に取り付けるための平面視略帯状の本体側取付部を含み、前記本体主面部、前記本体側面部および前記本体側取付部は、合成樹脂で一体的に形成され、前記蓋体は、合成樹脂シートにより一体的に形成された蓋体主面部材と、前記蓋体主面部に接合して固定された蓋体側面部材とを含み、前記蓋体主面部材は、前記本体主面部に対向する前記本体主面部と同形同大の蓋体主面部と、前記蓋体主面部の長手端に連設された折り曲げ可能な部分と、前記折り曲げ可能な部分の長手端に連設された前記本体側取付部と同形同大の蓋体側取付部とを含み、前記蓋体側面部材は、前記蓋体主面部の前記折り曲げ可能な部分を形成されていない端縁に、前記蓋体主面部から垂直に立ち上がるように固着されており、前記本体と前記蓋体とは、前記蓋体の前記蓋体側取付部を、前記本体の前記本体側取付部に、取り付けることによって連結され、前記本体主面部と前記蓋体主面部とは、前記ケースの前記胴部を構成し、前記本体と前記蓋体とは、前記折り曲げ可能な部分を介して連結され、前記折り曲げ可能な部分は、前記ケースの前記底部を構成し、前記本体側面部と前記蓋体側面部材とは、前記本体と前記蓋体とが閉じたときに、前記ケースの前記天部、前記底部及び前記襠部を構成し、前記本体に対して前記蓋体を閉じることによって、前記本体側面部および前記蓋体側面部材の内側に前記収納部が形成される、ケースである。
この発明の請求項２にかかるケースにおいては、前記ケースは、全体が直方体であって、前記折り曲げ可能な部分は、前記本体主面部に対して垂直な方向に、前記本体側面部及び蓋体側面部材が重ね合わさったものの前記本体主面部からの高さと同じ高さを備える、請求項１に記載のケースである。
この発明の請求項３にかかるケースにおいては、前記蓋体側面部材は、前記蓋体主面部において前記折り曲げ可能な部分が形成される１辺を除いた３辺にそれぞれ形成される３つの側面部材を含み、前記３つの側面部材は、一体的に形成され、または、個別に形成されて接合された、請求項２に記載のケースである。
この発明の請求項４にかかるケースにおいては、前記本体側面部は、前記本体主面部の４辺に沿って形成され、前記本体主面部の手前側端縁に形成された手前側壁部と、前記手前側壁部の右端に形成され、前記本体主面部の右側端縁に形成された右側壁部と、前記手前側壁部の左端に形成され、前記本体主面部の左側端縁に形成された左側壁部と、前記右側壁部の下端に形成され、前記本体主面部の向こう側端縁に形成された右向こう側壁部と、前記左側壁部の下端に形成され、前記本体主面部の向こう側端縁に形成された左向こう側壁部とを含み、前右側壁部の反対側に位置する前記右向こう側壁部の一方端縁と、前左側壁部の反対側に位置する前記左向こう側壁部の一方端縁と、前記本体主面部とによって、前記右向こう側壁部と左向こう側壁部との間に、側面開口部が形成された、請求項１ないし請求項３に記載のケースである。
この発明の請求項５にかかるケースにおいては、前記右向こう側壁部及び前記左向こう側壁部のうちの少なくとも１つの側壁部は、前記側面開口部を形成する端縁側に、前記本体主面部から上方に向かって前記側面開口部が広がるように、前記側壁部の上方の端縁と前記側面開口部を形成する前記端縁との間に、切り欠き部を有する、請求項１ないし請求項４のいずれかに記載のケースである。
この発明の請求項６にかかるケースにおいては、前記蓋体側面部材は、前記蓋体主面部の手前側端縁、右側端縁、及び左側端縁の３つの端縁において接し合わされ、密着される、主面部材固定部と、前記蓋体主面部の４つの端縁のうち、隣り合う第１の端縁及び第２の端縁から構成される角部において接し合わされ、密着される、主面部材補強部とを含み、前記主面部材固定部と前記主面部材補強部とは、前記主面部材の端縁の中央から、前記主面部材の前記角部にかけて連続しており、前記主面部材固定部及び前記主面部材補強部は、同一平面上で前記主面部材に接触し、前記主面部材固定部は、平面視して前記主面部材の外側に位置する固定部外縁と、平面視して前記主面部材の内側に位置する固定部内縁とを含み、前記第１の端縁及び前記第２の端縁から構成される前記角部に位置する前記主面部材補強部は、前記第１の端縁及び前記第２の端縁のうち少なくとも１つに位置する前記主面部材固定部の前記固定部内縁と連続する補強部縁を有し、前記補強部縁は、前記第１の端縁及び前記第２の端縁から構成される前記角部に拡がる、請求項１ないし請求項５のいずれかに記載のケースである。
この発明の請求項７にかかるケースにおいては、本体と、前記本体に開閉可能に取り付けられ、閉じることによって前記本体と協働して箱形の収納部を形成する蓋体とを有するケースであって、前記本体及び前記蓋体のうちの少なくとも１つは、合成樹脂シートにより形成された主面部材と、前記主面部材の適宜な位置に接合して固定された接合部材とを含み、前記接合部材は、前記主面部材の手前側端縁、右側端縁、及び左側端縁の３つの端縁において密着される、それぞれの端縁に位置する平面視略帯状の３つの主面部材固定部と、前記主面部材の４つの端縁のうち、隣り合う第１の端縁及び第２の端縁から構成される角部において密着される、主面部材補強部とを含み、前記主面部材固定部と前記主面部材補強部とは、前記主面部材の端縁の中央から、前記主面部材の前記角部にかけて連続しており、前記主面部材固定部及び前記主面部材補強部は、同一平面上で前記主面部材に接触し、前記主面部材固定部は、平面視して前記主面部材の外側に位置する固定部外縁と、平面視して前記主面部材の内側に位置する固定部内縁とを含み、前記第１の端縁及び前記第２の端縁から構成される前記角部に位置する前記主面部材補強部は、前記第１の端縁及び前記第２の端縁のうち少なくとも１つに位置する前記主面部材固定部の前記固定部内縁と連続する補強部縁を有し、前記補強部縁は、前記第１の端縁及び前記第２の端縁から構成される前記角部に拡がる、ケースである。
この発明の請求項８にかかるケースにおいては、前記主面部材固定部は、前記主面部材固定部が位置する前記主面部材の端縁と平行であって、平面視して前記主面部材の外側に位置する固定部外縁と、前記主面部材固定部が位置する前記主面部材の端縁と平行であって、平面視して前記主面部材の内側に位置する固定部内縁とを含み、前記補強部縁は、前記固定部内縁を含む直線によって分かれる２つの領域のうち、前記固定部外縁とは反対側に位置する、ケースである。
この発明の請求項９にかかるケースにおいては、前記主面部材補強部の形状は、２つの直線と、１つの曲線若しくは直線よって囲まれた形状であって、前記２つの直線のうちの第１の直線は、前記第１の端縁と平行であり、前記２つの直線のうちの第２の直線は、前記第２の端縁と平行であり、前記曲線は、前記補強部縁を含み、平面視して前記蓋体主面部上に配置される、請求項７に記載のケースである。
【発明の効果】
【０００７】
この発明にかかるケースによれば、本体と、前記本体に開閉可能に取り付けられ、閉じることによって前記本体と協働して箱形の収納部を形成する蓋体とを有するケースであって、前記ケースは、方形の胴部と、前記胴部の周辺に、方形の天部と、前記天部に対向する底部と、前記天部と前記底部の両端に形成される方形の襠部とを有し、前記本体は、平面視略方形の本体主面部、前記本体主面部の周囲に形成された本体側面部、および前記本体主面部に形成され、前記本体主面部の１つの端縁近辺に、前記蓋体を前記本体に取り付けるための平面視略帯状の本体側取付部を含み、前記本体主面部、前記本体側面部および前記本体側取付部は、合成樹脂で一体的に形成され、前記蓋体は、合成樹脂シートにより一体的に形成された蓋体主面部材と、前記蓋体主面部に接合して固定された蓋体側面部材とを含み、前記蓋体主面部材は、前記本体主面部に対向する前記本体主面部と同形同大の蓋体主面部と、前記蓋体主面部の長手端に連設された折り曲げ可能な部分と、前記折り曲げ可能な部分の長手端に連設された前記本体側取付部と同形同大の蓋体側取付部とを含み、前記蓋体側面部材は、前記蓋体主面部の前記折り曲げ可能な部分を形成されていない端縁に、前記蓋体主面部から垂直に立ち上がるように固着されており、前記本体と前記蓋体とは、前記蓋体の前記蓋体側取付部を、前記本体の前記本体側取付部に、取り付けることによって連結され、前記本体主面部と前記蓋体主面部とは、前記ケースの前記胴部を構成し、前記本体と前記蓋体とは、前記折り曲げ可能な部分を介して連結され、前記折り曲げ可能な部分は、前記ケースの前記底部を構成し、前記本体側面部と前記蓋体側面部材とは、前記本体と前記蓋体とが閉じたときに、前記ケースの前記天部、前記底部及び前記襠部を構成し、前記本体に対して前記蓋体を閉じることによって、前記本体側面部および前記蓋体側面部材の内側に前記収納部が形成されるので、蓋体の蓋体主面部などが合成樹脂シートにより形成されているので、全体が合成樹脂で一体成型によって形成されるケースと比べて、ケース全体の重量が軽量であり、また、本体主面部および蓋体主面部に相当する主面部材を薄い合成樹脂シートにより形成されるケースに比べて、ケース全体の強度が強いため、軽量であるとともに全体が変形しにくいケースを提供することができる。
この発明の請求項２にかかるケースによれば、前記ケースは、全体が直方体であって、前記折り曲げ可能な部分は、前記本体主面部に対して垂直な方向に、前記本体側面部及び蓋体側面部材が重ね合わさったものの前記本体主面部からの高さと同じ高さを備えるので、ケース全体の形状が直方体であって、軽量であるとともに変形しにくいケースを提供することができる。
この発明の請求項３にかかるケースによれば、前記蓋体側面部材は、前記蓋体主面部において前記折り曲げ可能な部分が形成される１辺を除いた３辺にそれぞれ形成される３つの側面部材を含み、前記３つの側面部材は、一体的に形成され、または、個別に形成されて接合されるので、側面部材を作るための金型のコストを抑えることができる。
この発明の請求項４にかかるケースによれば、前記本体側面部は、前記本体主面部の４辺に沿って形成され、前記本体主面部の手前側端縁に形成された手前側壁部と、前記手前側壁部の右端に形成され、前記本体主面部の右側端縁に形成された右側壁部と、前記手前側壁部の左端に形成され、前記本体主面部の左側端縁に形成された左側壁部と、前記右側壁部の下端に形成され、前記本体主面部の向こう側端縁に形成された右向こう側壁部と、前記左側壁部の下端に形成され、前記本体主面部の向こう側端縁に形成された左向こう側壁部とを含み、前右側壁部の反対側に位置する前記右向こう側壁部の一方端縁と、前左側壁部の反対側に位置する前記左向こう側壁部の一方端縁と、前記本体主面部とによって、前記右向こう側壁部と左向こう側壁部との間に、側面開口部が形成されるので、ケースを開けたときに、側面に開きがあることにより被収納物を取り出しやすくなり、また、被収納物の取り出しやすさをよくするために収納スペースの大きさを被収納物に対して広めにとっているケースに比べて、コンパクトなケースを提供することができる。
この発明の請求項５にかかるケースによれば、前記右向こう側壁部及び前記左向こう側壁部のうちの少なくとも１つの側壁部は、前記側面開口部を形成する端縁側に、前記本体主面部から上方に向かって前記側面開口部が広がるように、前記側壁部の上方の端縁と前記側面開口部を形成する前記端縁との間に、切り欠き部を有するので、被収納物をより取り出しやすくなる。
この発明の請求項６にかかるケースによれば、前記蓋体側面部材は、前記蓋体主面部の手前側端縁、右側端縁、及び左側端縁の３つの端縁において接し合わされ、密着される、主面部材固定部と、前記蓋体主面部の４つの端縁のうち、隣り合う第１の端縁及び第２の端縁から構成される角部において接し合わされ、密着される、主面部材補強部とを含み、前記主面部材固定部と前記主面部材補強部とは、前記主面部材の端縁の中央から、前記主面部材の前記角部にかけて連続しており、前記主面部材固定部及び前記主面部材補強部は、同一平面上で前記主面部材に接触し、前記主面部材固定部は、平面視して前記主面部材の外側に位置する固定部外縁と、平面視して前記主面部材の内側に位置する固定部内縁とを含み、前記第１の端縁及び前記第２の端縁から構成される前記角部に位置する前記主面部材補強部は、前記第１の端縁及び前記第２の端縁のうち少なくとも１つに位置する前記主面部材固定部の前記固定部内縁と連続する補強部縁を有し、前記補強部縁は、前記第１の端縁及び前記第２の端縁から構成される前記角部に拡がっているので、柔軟なシート状である蓋体主面部が、ケース開閉時に変形しにくいケースを提供することができる。
この発明の請求項７にかかるケースによれば、本体と、前記本体に開閉可能に取り付けられ、閉じることによって前記本体と協働して箱形の収納部を形成する蓋体とを有するケースであって、前記本体及び前記蓋体のうちの少なくとも１つは、合成樹脂シートにより形成された主面部材と、前記主面部材の適宜な位置に接合して固定された接合部材とを含み、前記接合部材は、前記主面部材の手前側端縁、右側端縁、及び左側端縁の３つの端縁において密着される、それぞれの端縁に位置する平面視略帯状の３つの主面部材固定部と、前記主面部材の４つの端縁のうち、隣り合う第１の端縁及び第２の端縁から構成される角部において密着される、主面部材補強部とを含み、前記主面部材固定部と前記主面部材補強部とは、前記主面部材の端縁の中央から、前記主面部材の前記角部にかけて連続しており、前記主面部材固定部及び前記主面部材補強部は、同一平面上で前記主面部材に接触し、前記主面部材固定部は、平面視して前記主面部材の外側に位置する固定部外縁と、平面視して前記主面部材の内側に位置する固定部内縁とを含み、前記第１の端縁及び前記第２の端縁から構成される前記角部に位置する前記主面部材補強部は、前記第１の端縁及び前記第２の端縁のうち少なくとも１つに位置する前記主面部材固定部の前記固定部内縁と連続する補強部縁を有し、前記補強部縁は、前記第１の端縁及び前記第２の端縁から構成される前記角部に拡がっているので、柔軟なシート状である蓋体主面部が、ケース開閉時に変形しにくいケースを提供することができる。
この発明の請求項８にかかるケースによれば、前記主面部材固定部は、前記主面部材固定部が位置する前記主面部材の端縁と平行であって、平面視して前記主面部材の外側に位置する固定部外縁と、前記主面部材固定部が位置する前記主面部材の端縁と平行であって、平面視して前記主面部材の内側に位置する固定部内縁とを含み、前記補強部縁は、前記固定部内縁を含む直線によって分かれる２つの領域のうち、前記固定部外縁とは反対側に位置するので、柔軟なシート状である蓋体主面部が、ケース開閉時に変形しにくいケースを提供することができる。
この発明の請求項９にかかるケースによれば、前記主面部材補強部の形状は、２つの直線と、１つの曲線若しくは直線よって囲まれた形状であって、前記２つの直線のうちの第１の直線は、前記第１の端縁と平行であり、前記２つの直線のうちの第２の直線は、前記第２の端縁と平行であり、前記曲線は、前記補強部縁を含み、平面視して前記蓋体主面部上に配置されるので、柔軟なシート状である蓋体主面部が、ケース開閉時に変形しにくいケースを提供することができる。
【０００８】
この発明の上述の目的、その他の目的、特徴および利点は、図面を参照して行う以下の発明を実施するための形態の説明から一層明らかとなろう。
【図面の簡単な説明】
【０００９】
【図１】この発明の一実施の形態であるケースの開いた状態を示す斜視図解図である。
【図２】図１に示すケースを構成する本体を示す斜視図解図である。
【図３】図１に示すケースを構成する本体を示す斜視図解図である。
【図４Ａ】蓋体側面部材を構成する部材を示す斜視図解図である。
【図４Ｂ】蓋体側面部材を構成する部材を示す斜視図解図である。
【図５Ａ】蓋体側面部材を示す斜視図解図である。
【図５Ｂ】蓋体側面部材を示す斜視図解図である。
【図６】図１に示すケースを構成する蓋体主面部材の図解図である。
【図７】図１に示すケースを構成する本体の図解図である。
【図８】図１に示すケースを構成する本体の図解図である。
【図９】図１に示すケースを構成する本体の図解図である。
【図１０】図１に示すケースを構成する本体の図解図である。
【図１１】図１に示すケースを構成する本体の断面図解図である。
【図１２】図４に示す蓋体側面部材を構成する手前側面部材の図解図である。
【図１３】手前側面部材の連結部を示す図解図である。
【図１４】図４に示す蓋体側面部材を構成する右側面部材の図解図である。
【図１５】図４に示す蓋体側面部材を構成する左側面部材の図解図である。
【図１６】別の実施形態である蓋体側面図を示す斜視図解図である。
【図１７】別の実施形態である蓋体側面図を示す図解図である。
【図１８】ケースを説明する斜視図解図である。
【発明を実施するための形態】
【００１０】
図１は、この発明の一実施の形態であるファイル形ケースを示す斜視図解図である。
ケース１０は、本体１２及び蓋体１４を含む。ケース１０は、全体が直方体であって、方形の胴部（主面板）の周辺に、正面視長方形の天部、背面視長方形の底部、及び側面視長方形の襠部を構成する側面部が連設されている。
本体１２は、本体１２を構成する本体主面部２０と本体側面部２３とにより囲繞された内側に、用箋、ノート、書籍、文房具等の被収納物を収納するための収納部１２Ｓを形成され、蓋体１４は、蓋体主面部材１６と蓋体側面部材１８とにより囲繞された内側に収納部１４Ｓを形成されている。
本体１２は、本体１２の主面部を構成する長方形状の本体主面部２０と、本体主面部２０の４つの端辺に、ほぼ直交する向きに延びるように、本体１２の側面部を構成する本体側面部２３とを含む。
蓋体１４は、蓋体１４の主面部を構成する平面視略方形状の蓋体主面部材１６と、蓋体１４の側面部を構成する平面視略コ字形の蓋体側面部材１８とを含む。
蓋体主面部材１６は、平面視略方形状の蓋体主面部２２と、前記蓋体主面部２２の長手端に連設された方形状の接続部材２４と、前記接続部材の長手端に連設された略方形状の蓋体側取付部２５とを含む。
蓋体側面部材１８は、前記蓋体主面部２２の接続部材２４が連設されていない３つの端辺に、ほぼ直交する向きに延びるように、蓋体１４の側面部を構成する。前記蓋体主面部２２と前記本体主面部２０とは、対称であって、対向して前記ケース１０の胴部を構成する。
【００１１】
蓋体側面部材１８は、前記蓋体主面部２２の接続部材２４を形成されていない端縁に、前記蓋体主面部２２から垂直に立ち上がるように固着される。
ケース１０の底部を構成する接続部材２４と、ケース１０の天部及び襠部を構成する本体側面部２３及び蓋体側面部材１８とは、本体主面部２０に対して垂直である。
接続部材２４は、本体主面部２０に対して垂直な方向に、本体側面部２３及び蓋体側面部材１８が重ね合わさったものの本体主面部２０からの高さと同じ高さを備える。
本体１２と蓋体１４とは、蓋体１４の留め部７２とは反対側の長手端縁の蓋体側取付部２５を、本体１２の留め部４２とは反対側の長手端縁の本体側取付部２１に、接し合わせて、固着することによって連結される。
本体１２と蓋体１４とは、接続部材２４を介して連結され、接続部材２４は、ケース１０の底部を構成する。
本体１２と接続部材２４との間には、ヒンジ部２６があり、蓋体１４と接続部材２４との間には、ヒンジ部２８がある。
ヒンジ部２６は、接続部材２４の長手方向にのび、接続部材２４の一端から他端に亘って連続する。
ヒンジ部２８は、接続部材２４の長手方向にのび、接続部材２４の一端から他端に亘って連続する。
而して、ヒンジ部２６とヒンジ部２８とにより、本体１２と蓋体１４とが開閉できる。
【００１２】
本体１２の開口部１２ａと蓋体１４の開口部１４ａとは、略々同形であり、本体１２の開口部１２ａと蓋体１４の開口部１４ａとは、本体１２と蓋体１４を閉じたときに本体１２の開口部１２ａの口縁と蓋体１４の開口部１４ａの口縁とが重なり合い、本体１２の内側の収納部１２Ｓと蓋体１４の内側の収納部１４Ｓとを密閉する。
【００１３】
本体１２を構成する前記本体主面部２０と前記本体側面部２３とは、ポリプロピレン等の合成樹脂により、一体的に形成され、それぞれの厚さは、約１．０ｍｍに成形されたものである。
【００１４】
蓋体主面部材１６は、ポリプロピレン等の薄い合成樹脂シートにより形成され、押し出し成形（シーティング）により、厚さ０．４〜０．６ｍｍに成形された、柔軟なシート状体である。
【００１５】
前記蓋体主面部材１６は、蓋体１４の表面側に配置される平面視略長方形状の蓋体主面部２２と、前記蓋体主面部２２の向こう側端縁において形成された平面視略帯状の接続部材２４と、さらに向こう側端縁において形成された蓋体側取付部２５とを含む。前記蓋体主面部２２、接続部材２４、および蓋体側取付部２５は、一体的に成形される。
前記蓋体主面部材１６の蓋体主面部２２と前記本体の本体主面部２０とは、略々同一の形状及び大きさであり、主として、ケース１０の胴部を構成するように形成されている。
前記蓋体主面部材１６の前記接続部材２４は、ケース１０の向こう側の側面で、前記蓋体側面部材１８に並置され、底部を構成するように形成されている。
前記蓋体主面部材１６の前記蓋体側取付部２５は、前記本体１２における本体主面部２０の一部である本体側取付部２１と超音波溶着等により接合される。
【００１６】
蓋体主面部２２と接続部材２４との境界線部は、蓋体主面部材１６を構成するシート状体を折り曲げられて形成された、直線状のヒンジ部２６を構成し、蓋体側取付部２５と接続部材２４との境界線部は、蓋体主面部材１６を構成するシート状体を折り曲げられて形成された、直線状のヒンジ部２８を構成する。そして、蓋体主面部２２と接続部材２４とは、ヒンジ部２６を介して折り曲げ自在に連結され、蓋体側取付部２５と接続部材２４とは、ヒンジ部２８を介して折り曲げ自在に連結されている。
この実施の形態においては、ケース１０の幅方向における接続部材２４の長さは、蓋体主面部２２及び蓋体側取付部２５の長さと同一又はそれ以下であるように形成されている。
【００１７】
この実施形態において、蓋体主面部材１６は、接続部材２４のケース１０の幅方向の右側の端縁を補強するために、右側端縁補強部２４ａを有し、接続部材２４のケース１０の幅方向の左側の端縁を補強するために、左側端縁補強部２４ｂを有する。
右側端縁補強部２４ａと接続部材２４との境界線部は、蓋体主面部材１６を構成するシート状体を折り曲げられて形成された、直線状のヒンジ部２７を構成し、左側端縁補強部２４ｂと接続部材２４との境界線部は、蓋体主面部材１６を構成するシート状体を折り曲げられて形成された、直線状のヒンジ部２９を構成する。そして、左側端縁補強部２４ａは、ヒンジ部２７を介して折り曲げられ、接続部材２４に溶着され、左側端縁補強部２４ｂは、ヒンジ部２９を介して折り曲げられ、接続部材２４に溶着される。
【００１８】
ケース１０の側面部は、本体１２の天部、底部及び襠部を構成する平面視略ロ字形若しくはコ字形の本体側面部２３と、蓋体１４の天部、底部及び襠部を構成する平面視略コ字形の蓋体側面部材１８とを含む。
【００１９】
本体１２は、ケースの胴部を構成する長方形状の本体主面部２０と、本体主面部２０の４つの端辺に、本体主面部２０とはほぼ直交する向きに延びるように、ケースの天部、底部及び襠部を構成する本体側面部２３とを含む。
本体１２を構成する本体主面部２０と本体側面部２３とは、ポリプロピレン等の合成樹脂で一体成形されている。
前記本体側面部２３は、前記本体主面部２０の手前側端縁に形成された手前側壁部３２と、前記本体主面部２０の右側端縁に形成された右側壁部３４と、前記本体主面部２０の左側端縁に形成された左側壁部３６と、前記本体主面部２０の向こう側端縁に形成された向こう側壁部３７とを含み、前記向こう側壁部３７は、右向こう側壁部３８と左向こう側壁部４０とを有する。
手前側壁部３２と向こう側壁部３７とは、平行に対向するように形成されている。また、右側壁部３４と左側壁部３６とは、平行に対向するように形成されている。
前記手前側壁部３２は、正面視略方形状で断面略直線状であり、前記手前側壁部３２の右端に、側面視略方形状で断面略直線状の右側壁部３４が形成され、さらに、前記右側壁部３４の下端に、断面略直線状の右向こう側壁部３８が形成される。
また、前記手前側壁部３２の左端に、側面視略方形状で断面略直線状の左側壁部３６が形成され、さらに、前記左側壁部３６の下端に、断面略直線状の左向こう側壁部４０が形成される。
この実施の形態においては、手前側壁部３２と右側壁部３４との境界部は、平面視略半円弧状であり、手前側壁部３２と左側壁部３６との境界部は、平面視略半円弧状である。
また、右側壁部３４と右向こう側壁部３８との境界部は、平面視略半円弧状であり、左側壁部３６と左向こう側壁部４０との境界部は、平面視略半円弧状である。
そして、本体側面部２３は、手前側壁部３２の長手方向における中央を中心として左右対称に形成されている。
【００２０】
本体側面部２３を構成する手前側壁部３２、右側壁部３４、左側壁部３６、および向こう側壁部３７は、本体主面部２０を平面視したときに、コ字形若しくはロ字形を形成する。
向こう側壁部３７を構成する前記右向こう側壁部３８及び前記左向こう側壁部４０は、本体主面部２０を平面視したときに、一直線上に並置される。
右向こう側壁部３８と左向こう側壁部４０は、被収納物の取りやすさを考慮して、右向こう側壁部３８と左向こう側壁部４０との間に、ある程度の間隔を有して並置されており、右向こう側壁部３８の一方端縁３８ｂと左向こう側壁部４０の一方端縁４０ｂと本体主面部２０とによって、凹部状の側面開口部３７ａが形成される。
この実施形態において、右向こう側壁部３８及び左向こう側壁部４０は同形同大であり、手前側壁部３２の長手方向における中央を中心として左右対称に形成されている。また、向こう側壁部３７の長手方向に沿った右向こう側壁部３８及び左向こう側壁部４０の長さと側面開口部３７ａの長さとは、略々同じである。
右向こう側壁部３８及び左向こう側壁部４０は異なる形状であってもよく、また、向こう側壁部３７の長手方向に沿った、右向こう側壁部３８、左向こう側壁部４０、および側面開口部３７ａの長さは、それぞれ異なる長さであってもよい。また、右向こう側壁部３８と左向こう側壁部４０は、右向こう側壁部３８と左向こう側壁部４０の間に、本体主面部２０からの高さが、右向こう側壁部３８及び左向こう側壁部４０よりも低い側壁部によって連続していてもよい。
【００２１】
被収納物を収納するために形成された収納部１２Ｓは、本体１２を構成する本体主面部２０と本体側面部２３によって形成されており、本体主面部２０を底面とみたときに、上方に開口部１２ａを有し、側面に、向こう側壁部３７が有する側面開口部３７ａを有する。
側面開口部３７ａは、本体１２と蓋体１４を閉じたときに、蓋体主面部材１６の一部の面が外から覆う形で、蓋体主面部材１６により塞がれて、本体１２の内側の収納部１２Ｓと蓋体１４の内側の収納部１４Ｓとを密閉にする。
この実施形態において、側面開口部３７ａは、本体１２と蓋体１４を閉じたときに、蓋体主面部材１６の接続部材２４によって塞がれ、本体１２の内側の収納部１２Ｓと蓋体１４の内側の収納部１４Ｓとを密閉にする。
【００２２】
右向こう側壁部３８は、本体主面部２０から上方に向かって、側面開口部３７ａが広がるように、右向こう側壁部３８における上方端縁３８ｃと前記側面開口部３７ａ側の端縁３８ｂとの間に切り欠き部４４を有し、また、左向こう側壁部４０は、本体主面部２０から上方に向かって、側面開口部３７ａが広がるように、左向こう側壁部４０における上方端縁４０ｃと前記側面開口部３７ａ側の端縁４０ｂとの間に切り欠き部４５を有する。
この実施形態において、右向こう側壁部３８は、背面視して略々方形状のものから、側面開口部３７ａを形成する端縁３８ｂと右向こう側壁部３８の上方端縁３８ｃに斜交する斜線により角部分を切り取った形状を有し、左向こう側壁部４０は、背面視して略々方形状のものから、側面開口部３７ａを形成する端縁４０ｂと左向こう側壁部４０の上方端縁４０ｃに斜交する斜線により角部分を切り取った形状を有する。
右向こう側壁部３８の側面開口部３７ａを形成する端縁３８ｂ及び左向こう側壁部４０の側面開口部３７ａを形成する端縁４０ｂは、本体主面部２０から上方に向かって、前記側面開口部３７ａが広がるように、円弧状や曲線状であってもよく、本体主面部２０に対して斜交してもよい。
【００２３】
手前側壁部３２は、蓋体１４を本体１２に被せて締めておくための留め部４２を、長手方向の中央に備えている。留め部４２は、手前側壁部３２の上縁から手前側に突出され、手前側壁部３２の手前側面に向けて接離するように折り曲げ自在に形成された、突出片４２ａを備える。該突出片４２ａは、正面視略長方形状の板片であり、蓋体１４の留め部７２に係止させる突起部４２ｂを、先端において留め部７２側に向けて突き出し設けられている。
【００２４】
本体１２の主面部を構成する本体主面部２０は、本体主面部２０の向こう側端縁に、蓋体主面部材１６の蓋体側取付部２５に取り付けられるための、平面視して蓋体側取付部２５と略々同一の形状の略帯状の本体側取付部２１を有する。本体１２と蓋体１４とは、本体側取付部２１と蓋体側取付部２５とが重ね合わされて、超音波溶着等により接合されて、一体のケース１０を構成する。
本体側取付部２１は、本体側取付部２１と蓋体側取付部２５とを重ね合わせたときに、本体主面部２０の外表面と蓋体側取付部２５の一方表面とが略々同一の水平面となるようにして、ケース１０の胴部表面を構成するように、本体主面部２０の向こう側端縁近辺の一部の表面を蓋体側取付部２５の厚さだけ凹設されて形成される。
【００２５】
この実施形態において、蓋体１４を構成する蓋体側面部材１８は、平面視略直線状で断面略Ｌ字形の手前側面部材１８ａと、手前側面部材１８ａの右端に連結された、平面視略直線状で断面略Ｌ字形の右側面部材１８ｂと、手前側面部材１８ａの左端に連結された、平面視略直線状で断面略Ｌ字形の左側面部材１８ｃとの３つの部材から構成される。
手前側面部材１８ａ、右側面部材１８ｂ、および左側面部材１８ｃは、それぞれ別々に、ポリプロピレン等の合成樹脂で略直線状に成形される。
また、蓋体側面部材１８は、手前側の側面を構成する中央より左右にのびる平面視直線状の第１壁部６０Ａと、蓋体側面部材１８の右側の側面を構成する、前記第１壁部６０Ａの右端から下方にのびる第２壁部６０Ｂと、蓋体側面部材１８の左側の側面を構成する、前記第１壁部６０Ａの左端から下方にのびる第３壁部６０Ｃとを含む。
【００２６】
手前側面部材１８ａは、第１壁部６０Ａの一部を構成する蓋体手前壁部６２を含む。
右側面部材１８ｂは、第２壁部６０Ｂを構成する蓋体右壁部６４と、第１壁部６０Ａの一部を構成する前記蓋体右手前壁部６７と、接続部材２４の下端に連結された蓋体右向こう壁部６８とを含む。
左側面部材１８ｃは、第３壁部６０Ｃを構成する蓋体左壁部６６と、第１壁部６０Ａの一部を構成する前記蓋体左手前壁部６９と、接続部材２４の下端に連結された蓋体左向こう壁部７０とを含む。
蓋体手前壁部６２、蓋体右手前壁部６７、および蓋体左手前壁部６９は、略々同一水平面上にある。蓋体右壁部６４と蓋体右手前壁部６７とは、直交しており、蓋体右壁部６４と蓋体右向こう壁部６８とは、直交している。蓋体左壁部６６と蓋体左手前壁部６９とは、直交しており、蓋体左壁部６６と蓋体左向こう壁部７０とは、直交している。また、蓋体右手前壁部６７と蓋体右向こう壁部６８とは、平行に対向しており、蓋体左手前壁部６９と蓋体左向こう壁部７０とは、平行に対向している。
右側面部材１８ｂと左側面部材１８ｃとは、同一形状であって、前記蓋体手前壁部６２の長手方向における中央を中心として左右対称な位置で、平行に対向している。
【００２７】
この実施の形態においては、蓋体右手前壁部６７と蓋体右壁部６４との境界部は、平面視略半円弧状であり、蓋体左手前壁部６９と蓋体左壁部６６との境界部は、平面視略半円弧状である。
また、蓋体右壁部６４と蓋体右向こう壁部６８との境界部は、平面視略半円弧状であり、蓋体左壁部６６と蓋体左向こう壁部７０との境界部は、平面視略半円弧状である。
蓋体側面部材１８は、蓋体手前壁部６２の長手方向における中央を中心として左右対称に形成されている。
【００２８】
この実施の形態においては、第１連結部８２及び第２連結部８４は、手前壁部６２の長手方向の中央より左右にのびる第１壁部６０Ａを分割している。
第１連結部８２は、第１壁部６０Ａを分割しており、第１壁部６０Ａの第１連結部８２より右側で境界部より中央側において手前壁部６２と右壁部６４とが連結される。
そして、第２連結部８４は、第１壁部６０Ａを分割しており、第１壁部６０Ａの第２連結部８４より左側で境界部より中央側において手前壁部６２と左壁部６６とが連結される。
【００２９】
蓋体側面部材１８は、蓋体１４の開口部１４ａを構成する側とは反対側の外縁の内側に、蓋体主面部材１６の蓋体主面部２２を超音波溶着等で接合し固定するための主面部材固定部を形成されている。
手前側面部材１８ａは、外縁の内側に、断面略Ｌ字形の手前主面部材固定部５０を段差状に形成されている。手前主面部材固定部５０は、蓋体１４を平面視したとき、蓋体手前壁部６２の一方端縁から他方端縁にかけて連続した、略帯状である。
右側面部材１８ｂは、外縁の内側に、断面略Ｌ字形の右主面部材固定部５２を段差状に形成されている。また、右主面部材固定部５２は、蓋体１４を平面視したとき、蓋体右壁部６４の一方端縁から他方端縁にかけて連続した、略帯状である。
左側面部材１８ｃは、外縁の内側に、断面略Ｌ字形の左主面部材固定部５４を段差状に形成されている。また、左主面部材固定部５４は、蓋体１４を平面視したとき、蓋体左壁部６６の一方端縁から他方端縁にかけて連続した、略帯状である。
【００３０】
右側面部材１８ｂは、蓋体右壁部６４と蓋体右手前壁部６７で構成される角部に、断面略Ｌ字形の主面右上補強部５６を有する。主面右上補強部５６は、蓋体右壁部６４と蓋体右手前壁部６７で構成される角部の外縁の内側に、段差状に形成されている。
また、右側面部材１８ｂは、蓋体右壁部６４と蓋体右向こう壁部６８で構成される角部に、断面略Ｌ字形の主面右下補強部５８を有する。主面右下補強部５８は、蓋体右壁部６４と蓋体右手前壁部６７で構成される角部の外縁の内側に、段差状に形成されている。
左側面部材１８ｃは、蓋体左壁部６６と蓋体左手前壁部６９で構成される角部に、断面略Ｌ字形の主面左上補強部５７を有する。主面左上補強部５７は、蓋体左壁部６６と蓋体左手前壁部６９で構成される角部の外縁の内側に、段差状に形成されている。
また、左側面部材１８ｃは、蓋体左壁部６６と蓋体左向こう壁部７０で構成される角部に、断面略Ｌ字形の主面左下補強部５９を有する。主面左下補強部５９は、蓋体左壁部６６と蓋体左向こう壁部７０で構成される角部の外縁の内側に、段差状に形成されている。
【００３１】
右側面部材１８ｂは、右主面部材固定部５２の一端に、蓋体１４を平面視したとき、右主面部材固定部５２の幅よりも大きい主面右上補強部５６が連続されており、右主面部材固定部５２の他端に、蓋体１４を平面視したとき、右主面部材固定部５２の幅よりも大きい主面右下補強部５８が連続されている。
左側面部材１８ｃは、左主面部材固定部５４の一端に、蓋体１４を平面視したとき、左主面部材固定部５４の幅よりも大きい主面左上補強部５７が連続されており、左主面部材固定部５４の他端に、蓋体１４を平面視したとき、左主面部材固定部５４の幅よりも大きい主面左下補強部５９が連続されている。
前記主面部材固定部５０，５２，５４と前記主面部材補強部５６，５８，５７，５９とは、蓋体主面部２２の端縁の中央から、蓋体主面部２２の端縁の両端の角部にかけて連続しており、前記右主面部材固定部５２，５４と前記主面部材補強部５６，５８，５７，５９は、同一平面上で前記蓋体主面部２２と接し合う。
【００３２】
手前主面部材固定部５０は、蓋体１４を平面視して前記主面部材の内側の端縁である手前固定部内縁５０ａと、蓋体１４を平面視して蓋体主面部２２の外側の端縁である手前固定部外縁５０ｂとを含む。
右主面部材固定部５２は、蓋体１４を平面視して前記主面部材の内側の端縁である右固定部内縁５２ａと、蓋体１４を平面視して蓋体主面部２２の外側の端縁である右固定部外縁５２ｂとを含む。
左主面部材固定部５４は、蓋体１４を平面視して前記主面部材の内側の端縁である左固定部内縁５４ａと、蓋体１４を平面視して蓋体主面部２２の外側の端縁である左固定部外縁５４ｂとを含む。
【００３３】
手前固定部内縁５０ａは、右端において、主面右上補強部５６の有する右上補強部縁５６ａと連続し、前記右上補強部縁５６ａは、手前固定部内縁５０ａとは反対側の端縁で、右固定部内縁５２ａと連続する。さらに、右固定部内縁５２ａは、前記右上補強部縁５６ａとは反対側の端縁で、主面右下補強部５８の有する右下補強部縁５８ａと連続し、前記右下補強部縁５８ａは、蓋体右向こう壁部６８まで連続する。
手前固定部内縁５０ａは、左端において、主面左上補強部５７の有する左上補強部縁５７ａと連続し、前記左上補強部縁５７ａは、手前固定部内縁５０ａとは反対側の端縁で、左固定部内縁５４ａと連続する。さらに、左固定部内縁５４ａは、前記左上補強部縁５７ａとは反対側の端縁で、主面左下補強部５９の有する左下補強部縁５９ａと連続し、前記左下補強部縁５９ａは、蓋体左向こう壁部７０まで連続する。
【００３４】
主面右上補強部５６は、蓋体右壁部６４と蓋体右手前壁部６７で構成される角部に拡がっており、主面右下補強部５８は、蓋体右壁部６４と蓋体右向こう壁部６８で構成される角部に拡がっており、主面左上補強部５７は、蓋体左壁部６６と蓋体左手前壁部６９で構成される角部に拡がっており、主面左下補強部５９は、蓋体左壁部６６と蓋体左向こう壁部７０で構成される角部に拡がっている。
【００３５】
主面右上補強部５６、主面右下補強部５８、主面左上補強部５７、および主面左下補強部５９は、蓋体主面部２２の４隅に位置し、シート状である蓋体主面部２２がケース開閉時に変形すること、特に、右側面部材１８ｂとそれに平行である左側面部材１８ｃとがねじれの位置関係に変形することを抑制し、蓋体１４全体の強度が高まる。これら補強部５６，５８，５７，５９は、蓋体主面部２２の４隅に位置すればよく、右側面部材１８ｂ及び左側面部材１８ｃの代わりに、手前側面部材１８ａが、主面右上補強部５６及び主面左上補強部５７を備えていてもよい。
【００３６】
主面右上補強部５６、主面右下補強部５８、主面左上補強部５７、および主面左下補強部５９は、互いに同じ形状である必要はなく、形状も実施形態に限定されない。
主面部材補強部が、例えば、蓋体主面部材の４つの端縁のうち、隣り合う第１の端縁及び第２の端縁から構成される角部において密着される場合、前記主面部材補強部の形状は、２つの直線と１つの曲線によって囲まれた形状でありえる。この場合、前記２つの直線の一方直線は、前記第１の端縁と平行であり、前記２つの直線の他方直線は、前記第２の端縁と平行であり、前記第１の直線と前記第２の直線とは直交し、前記曲線は、平面視して前記蓋体主面部上に配置された形状、例えば扇形状でありえる。
また、主面部材補強部の形状は、例えば、３つの直線によって囲まれた三角形状でありえる。この場合、前記３つの直線のうちの第１の直線は、第１の端縁と平行であり、３つの直線のうちの第２の直線は、第２の端縁と平行であり、第１の直線と第２の直線とは直交し、３つの直線のうちの第３の直線は、平面視して蓋体主面部２２上に配置され、前記第１の直線及び前記第２の直線に斜交する。
主面右上補強部５６、主面右下補強部５８、主面左上補強部５７、および主面左下補強部５９の大きさは、シート状である蓋体主面部の大きさや厚み等に応じて、適宜変更される。
【００３７】
当該主面部材補強部５６，５８，５７，５９は、蓋体１４だけでなく、本体１２及び蓋体１４の両方ともが、合成樹脂シートにより形成された主面部材と、前記主面部材の適宜な位置に接合して固定された接合部材とによって構成されたケースにおいても、備えられる。
【００３８】
この実施の形態においては、蓋体主面部材１６を固定する面は、手前主面部材固定部５０、右主面部材固定部５２、主面右上補強部５６、主面右下補強部５８、左主面部材固定部５４、主面左上補強部５７、主面左下補強部５９が連なった水平の平面状に形成され、蓋体主面部材１６を密着させるように構成されている。
この実施の形態においては、主面部材固定部は、蓋体側面部材１８の外表面から下方に向けて、垂直面を形成され且つ該垂直面から内部に向けて水平面を形成され、垂直面は蓋体主面部材１６の厚さと同じ０．５ｍｍ程度の深さに凹設されている。
【００３９】
別の実施形態において、右上補強部縁５６ａは、手前固定部内縁５０ａに対して、手前固定部外縁５０ｂとは反対側に膨出しており、右固定部内縁５２ａに対して、右固定部外縁５２ｂとは反対側に膨出し、左上補強部縁５７ａは、手前固定部内縁５０ａに対して、手前固定部外縁５０ｂとは反対側に膨出しており、左固定部内縁５４ａに対して、左固定部外縁５４ｂとは反対側に膨出し、右下補強部縁５８ａは、右固定部内縁５２ａに対して、右固定部外縁５２ｂとは反対側に膨出し、左下補強部縁５９ａは、左固定部内縁５４ａに対して、左固定部外縁５４ｂとは反対側に膨出している。
【００４０】
この実施の形態においては、手前側面部材１８ａと右側面部材１８ｂとは、手前側面部材１８ａ側の右端の近傍に形成された連結部８０を構成する第１連結部８２で連結され、手前側面部材１８ａと左側面部材１８ｃとは、手前側面部材１８ａ側の左端の近傍に形成された連結部８０を構成する第２連結部８４で連結されている。
手前側面部材１８ａの右端には、第１連結部８２において右側面部材１８ｂと連結するための差込部８２ａを有し、手前側面部材１８ａの左端には、第２連結部８４において左側面部材１８ｃと連結するための差込部８４ａを有する。
右側面部材１８ｂの上端には、第１連結部８２において手前側面部材１８ａと連結するための差込孔８２ｂを有し、左側面部材１８ｃの上端には、第２連結部８４において手前側面部材１８ａと連結するための差込孔８４ｂを有する。
差込部８２ａは、手前側面部材１８ａの右端において、手前側面部材１８ａの長手方向に突出しており、差込部８４ａは、手前側面部材１８ａの左端において、手前側面部材１８ａの長手方向に突出している。
差込孔８２ｂは、右側面部材１８ｂの上端において、右側面部材１８ｂの左側から差し込めるように、右側面部材１８ｂの蓋体右手前壁部６７の長手方向に形成され、差込孔８４ｂは、左側面部材１８ｃの上端において、左側面部材１８ｃの右側から差し込めるように、左側面部材１８ｃの蓋体左手前壁部６９の長手方向に形成される。
【００４１】
そして、蓋体主面部２２を蓋体側面部材１８に固着するときは、手前側面部材１８ａの第１連結部８２における差込部８２ａを、右側面部材１８ｂの第１連結部８２における差込孔８２ｂに差し込んで密着させ、手前側面部材１８ａの第２連結部８４における差込部８４ａを、左側面部材１８ｃの第２連結部８４における差込孔８４ｂに差し込んで密着させ、平面視略コの字形に成形する。
そして、手前主面部材固定部５０、右主面部材固定部５２、左主面部材固定部５４、主面部材固定部６８ａ及び主面部材固定部７０ａに、蓋体主面部２２の手前側端縁２２ａの近傍、右側端縁２２ｂの近傍、左側端縁２２ｃの近傍、そしてヒンジ部２８の近傍を溶着する。
而して、連結部８０で分割されていた手前側面部材１８ａ、右側面部材１８ｂ及び左側面部材１８ｃは、連結部８０を密着されて、蓋体１４を成形する。
【００４２】
蓋体手前壁部６２は、蓋体１４を本体１２に被せて締めておくための留め部７２を、長手方向の中央に備えている。留め部７２は、蓋体手前壁部６２の手前側面に形成された係止段部ないし係止穴部によって構成されている。
この実施の形態においては、留め部７２は、蓋体手前壁部６２の手前側面より突設された係止凸部７２ａによって係止段部を構成し、係止凸部７２ａは、その先端に本体１２の留め部４２を垂直に止めるための係合凸部７２ｂを突設されている。
【００４３】
蓋体主面部材１６の接続部材２４は、本体１２及び蓋体１４の向こう側において、本体側面部２３の右向こう側壁部３８及び左向こう側壁部４０と蓋体側面部材１８の蓋体右向こう壁部６８及び蓋体左向こう壁部７０との間に跨る。
この実施の形態においては、接続部材２４は、本体１２の右向こう側壁部３８及び左向こう側壁部４０の向こう側面と蓋体１４の蓋体右向こう壁部６８及び蓋体左向こう壁部７０の向こう側面とに接合し、右向こう側壁部３８と蓋体右向こう壁部６８との間及び左向こう側壁部４０と蓋体左向こう壁部７０との間に跨って固定される。
この実施の形態においては、右向こう側壁部３８の主面部材固定部３８ａと右向こう側壁部３８の向こう側面とは直交し、左向こう側壁部４０の主面部材固定部４０ａと左向こう側壁部４０の向こう側面とは直交し、蓋体右向こう壁部６８の主面部材固定部６８ａと蓋体右向こう壁部６８の向こう側面とは直交し、蓋体左向こう壁部７０の主面部材固定部７０ａと蓋体左向こう壁部７０の向こう側面とは直交している。
而して、蓋体主面部２２と接続部材２４とは、ヒンジ部２６において直角に折り曲げられ、本体主面部２０と接続部材２４とは、ヒンジ部２８において直角に折り曲げられる。
【００４４】
而して、接続部材２４は、右向こう側壁部３８及び左向こう側壁部４０の下縁にヒンジ部２６を接し且つ蓋体右向こう壁部６８及び蓋体左向こう壁部７０の上縁にヒンジ部２８を接して、本体１２の開口部１２ａに蓋体１４の開口部１４ａを被せ、開口部１２ａの留め部４２を蓋体１４の留め部７２に係止させて、被蓋する。
本体１２と蓋体１４とを開口するときには、留め部４２を留め部７２から外し、ヒンジ部２８及びヒンジ部２６を中心にして蓋体１４を開く。
【００４５】
本体１２の開口部１２ａの開口縁と蓋体１４の開口部１４ａの開口縁とは、蓋体１４を閉じたときに、手前側と向こう側との間において、ずれを生じさせないようにするための段差によるずれ防止部９０を、右側壁部３４と左側壁部３６及び蓋体右壁部６４と蓋体左壁部６６に形成されている。
また、本体１２の開口部１２ａの開口縁と蓋体１４の開口部１４ａの開口縁とは、蓋体１４を閉じたときに、右側縁と左側縁との間において、ずれを生じさせないようにするための段差によるずれ防止部９２を、手前側壁部３２及び蓋体手前壁部６２に形成されている。
この実施の形態においては、ずれ防止部９０は、本体１２の開口部１２ａに蓋体１４を被せたとき、本体１２を構成する右側壁部３４及び左側壁部３６に突設されたずれ防止係止凸部９０ａに、蓋体１４を構成する蓋体右壁部６４及び蓋体左壁部６６に穿設されたずれ防止係止凹部９０ｂを、嵌合させるように構成されている。
また、ずれ防止部９０は、本体１２を構成する右側壁部３４及び左側壁部３６に穿設されたずれ防止係止凹部９０ｃに、蓋体１４を構成する蓋体右壁部６４及び蓋体左壁部６６に突設されたずれ防止係止凸部９０ｄを、嵌合させるように構成されている。
また、ずれ防止部９２は、本体１２の開口部１２ａに蓋体１４を被せたとき、本体１２を構成する手前側壁部３２に穿設されたずれ防止係止凹部９２ａに、蓋体１４を構成する蓋体手前壁部６２に突設されたずれ防止係止凸部９２ｂを、嵌合させるように構成されている。
ずれ防止係止凹部９０ｂ，ずれ防止係止凹部９０ｃ及びずれ防止係止凹部９２ａの内側には、被収納物が収納部１２Ｓ及び収納部１４Ｓからこぼれ落ちないようにするための隔壁９４及び隔壁９６を形成されている。
【００４６】
別の実施形態において、図１６及び図１７に示すように、蓋体１１４を構成する蓋体側面１１８は、手前側面部材１８ａ、右側面部材１８ｂ、および左側面部材１８ｃの別部材が合わさって構成されるのではなく、手前壁部１６２と、右壁部１６４と、左壁部１６６と、右向こう壁部１６８及び左向こう壁部１７０とに分割されており、上から下に亘って連続する薄肉状の連結部１８０で連結されるように構成され、合成樹脂により一体成形されている。
この実施の形態においては、手前壁部１６２と右壁部１６４とは、手前壁部１６２側の右端の近傍に形成された連結部１８０を構成する第１連結部１８２で連結され、手前壁部１６２と左壁部１６６とは、手前壁部１６２側の左端の近傍に形成された連結部１８０を構成する第２連結部１８４で連結されている。そして、右壁部１６４と右向こう壁部１６８とは、右壁部１６４の右向こう壁部１６８側寄りに形成された連結部１８０を構成する第３連結部１８６で連結され、左壁部１６６と左向こう壁部１７０とは、左壁部１６６の左向こう壁部１７０側寄りに形成された連結部１８０を構成する第４連結部１８８で連結されている。
【００４７】
この実施の形態においては、第１連結部１８２及び第２連結部１８４は、手前壁部１６２の長手方向の中央より左右にのびる第１壁部１６０Ａを分割している。
第１連結部１８２は、第１壁部１６０Ａを分割しており、第１壁部１６０Ａの第１連結部１８２より右側で境界部より中央側において手前壁部１６２と右壁部１６４とが連結される。
そして、第２連結部１８４は、第１壁部１６０Ａを分割しており、第１壁部１６０Ａの第２連結部１８４より左側で境界部より中央側において手前壁部１６２と左壁部１６６とが連結される。
第３連結部１８６は、第２壁部１６０Ｂを分割しており、第２壁部１６０Ｂの第３連結部１８６より向こう側で境界部より手前壁部側において右壁部１６４と右向こう壁部１６８とが連結される。そして、第４連結部１８８は、第３壁部１６０Ｃを分割しており、左壁部１６６の第４連結部１８８より向こう側で境界部より手前壁部側において左壁部１６６と左向こう壁部１７０とが連結される。
【００４８】
蓋体側面１１８は、蓋体１１４の開口部１１４ａを構成する側とは反対側の外縁の内側に、蓋体主面部材１６の蓋体主面部２２を超音波溶着等で接合し固定するための主面部材固定部を形成されている。
手前壁部１６２は、外縁の内側に、断面略Ｌ字形の主面部材固定部１５０を段差状に形成され、右壁部１６４は、外縁の内側に、断面略Ｌ字形の主面部材固定部１５２を段差状に形成され、左壁部１６６は、外縁の内側に、断面略Ｌ字形の主面部材固定部１５４を段差状に形成され、右向こう壁部１６８は、外縁の内側に、断面略Ｌ字形の主面部材固定部１６８ａを段差状に形成され、左向こう壁部１７０は、外縁の内側に、断面略Ｌ字形の主面部材固定部１７０ａを段差状に形成されている。
この実施の形態においては、蓋体主面部材１６を固定する面は、主面部材固定部１５０と主面部材固定部１５２と主面部材固定部１５４と主面部材固定部１６８ａと主面部材固定部１７０ａとが連なった水平の平面状に形成され、蓋体主面部材１６を密着させるように構成されている。
【００４９】
そして、蓋体主面部２２を蓋体側面１１８に固着するときは、手前壁部１６２の第１連結部１８２における右側端縁と右壁部１６４の第１連結部１８２における手前側端縁とをつき合わせて密着させ、手前壁部１６２の第１連結部１８２における左側端縁と左壁部１６６の第２連結部１８４における手前側端縁とをつき合わせて密着させ、右壁部１６４の第３連結部１８６における向こう側端縁と右向こう壁部１６８の第３連結部１８６における右側端縁とをつき合わせて密着させ、左壁部１６６の第３連結部１８６における向こう側端縁と左向こう壁部１７０の第４連結部１８８における左側端縁とをつき合わせて密着させ、平面視略コの字形に成形する。
そして、主面部材固定部１５０，主面部材固定部１５２，主面部材固定部１５４，主面部材固定部１６８ａ及び主面部材固定部１７０ａに、蓋体主面部２２の手前側端縁２２ａの近傍，右側端縁２２ｂの近傍，左側端縁２２ｃの近傍，そしてヒンジ部２８の近傍を溶着する。
而して、連結部１８０で分割されていた、手前壁部１６２と右壁部１６４と左壁部１６６と右向こう壁部１６８と左向こう壁部１７０とは、連結部１８０を密着して、蓋体１１４を成形される。
【００５０】
本体１２と蓋体１４とは、使用者の嗜好等によって、蓋体１４を下にし本体１２を上にして用いてもよく、前述したように本体１２を下にし蓋体１４を上にして机等の表面に載置する使用方法に限定されるものではない。
【００５１】
而して、このケース１０は、蓋体主面部材１６のために、色形や表面形状の変化した種々のシート状体を作製しておき、一方、側面部材１８のために一定のものを作製しておき、マーケティング等に対応して種々の色形や表面形状のケースを作製して提供することができる。
【産業上の利用可能性】
【００５２】
この発明にかかるケースは、たとえば用紙などを収納することができる箱形ケースや筆記用具などを収納することができるペンケースなど種々のものを収納できるケースに適用できる。
【符号の説明】
【００５３】
１０，１１０  ケース
１２，１１２  本体
１２Ｓ，１４Ｓ  収納部
１２ａ  開口部
１４、１１４  蓋体
１４ａ  開口部
１６  蓋体主面部材
１８、１１８  蓋体側面部材
１８ａ  手前側面部材
１８ｂ  右側面部材
１８ｃ  左側面部材
２０  本体主面部
２１  本体側取付部
２２  蓋体主面部
２２ａ  手前側端縁
２２ｂ  右側端縁
２２ｃ  左側端縁
２２ｄ  向こう側端縁
２３  本体側面部
２４  接続部材
２４ａ  右側端縁補強部
２４ｂ  左側端縁補強部
２５  蓋体側取付部
２６，２７，２８，２９  ヒンジ部
３２  手前側壁部
３４  右側壁部
３６  左側壁部
３７  向こう側壁部
３７ａ  側面開口部
３８  右向こう側壁部
４０  左向こう側壁部
４２，７２，１４２，１７２  留め部
４２ａ，１４２ａ  突出片
４２ｂ  突起部
４４，４５  切り欠き部
５０、１５０  手前主面部材固定部
５２、１５２  右主面部材固定部
５４、１５４  左主面部材固定部
５６  主面右上補強部
５６ａ  右上補強部縁
５７  主面左上補強部
５７ａ  左上補強部縁
５８  主面右下補強部
５８ａ  右下補強部縁
５９  主面左下補強部
５９ａ  左下補強部縁
６０Ａ  第１壁部
６０Ｂ  第２壁部
６０Ｃ  第３壁部
６２、１６２  蓋体手前壁部
６４、１６４  蓋体右壁部
６６、１６６  蓋体左壁部
６７  蓋体右手前壁部
６８、１６８  蓋体右向こう壁部
６８ａ、１６８ａ  主面部材固定部
６９  蓋体左手前壁部
７０、１７０  蓋体左向こう壁部
７０ａ、１７０ａ  主面部材固定部
７２、１７２  留め部
７２ａ、１７２ａ  係止凸部
７２ｂ、１７２ｂ  係合凸部
８２  第１連結部
８４  第２連結部
８２ａ，８４ａ  差込部
８２ｂ，８４ｂ  差込孔
９０，９２  ずれ防止部
９０ｂ，９０ｃ，９２ａ  ずれ防止係止凹部
９０ａ，９０ｄ，９２ｂ  ずれ防止係止凸部
９４，９６  隔壁
１６０Ａ  第１壁部
１６０Ｂ  第２壁部
１６０Ｃ  第３壁部
１８２  第１連結部
１８４  第２連結部
１８６  第３連結部
１８８  第４連結部
【図１】
2014208413.tif 000003
【図２】
2014208413.tif 000004
【図３】
2014208413.tif 000005
【図４Ａ】
2014208413.tif 000006
【図４Ｂ】
2014208413.tif 000007
【図５Ａ】
2014208413.tif 000008
【図５Ｂ】
2014208413.tif 000009
【図６】
2014208413.tif 000010
【図７】
2014208413.tif 000011
【図８】
2014208413.tif 000012
【図９】
2014208413.tif 000013
【図１０】
2014208413.tif 000014
【図１１】
2014208413.tif 000015
【図１２】
2014208413.tif 000016
【図１３】
2014208413.tif 000017
【図１４】
2014208413.tif 000018
【図１５】
2014208413.tif 000019
【図１６】
2014208413.tif 000020
【図１７】
2014208413.tif 000021
【図１８】
2014208413.tif 000022